(57)【要約】【課題】加工精度の高く特にクランクシャフトの止カラーの表面を１回のフライス加工により創成可能とすること。【解決手段】円盤状のカッタ、特にクランクシャフトをフライス加工用カッタのための頂面と底面（１１、１２）と、頂面と底面とを連結する側面とを有するスローアウェーチップ１４において、少なくとも２つの隅部において、頂面には隆起部（１０１、１０２）を有し、隆起部は好ましくは、カッタの１つの側面の全長に渡って延設されており、少なくとも１つの側面により形成される切刃面（８）の平面において、頂面（１１）を切刃面（８）へ連結する縁部が、該縁部の２つの端部分の各々において、中央部分（９）に対して膨出した部分（１０１、１０２）を有している。【選択図】　　　図３
2004042254.tif 000002
【特許請求の範囲】
【請求項１】
円盤状のカッタ、特にクランクシャフトをフライス加工用カッタのための、頂面（１１）と底面（１２）と、前記頂面と底面とを連結する側面とを有するスローアウェーチップ（１４）において、
少なくとも２つの隅部において、前記頂面は隆起部（１０１、１０２）を有し、
前記隆起部は好ましくは、前記カッタの１つの側面の全長に渡って延設されており、少なくとも１つの側面により形成される切刃面（８）の平面において、前記頂面（１１）を前記切刃面（８）へ連結する縁部が、該縁部の２つの端部分の各々において、中央部分（９）に対して膨出した部分（１０１、１０２）を有していることを特徴としたスローアウェーチップ。
【請求項２】
前記隆起部分（１０１、１０２、２８）により突状に湾曲した輪郭が形成され、湾曲部分（１０１、１０２）は、互いに角度をなす直線部分を含み、かつ、９０°より大きな角度範囲（α）、好ましくは、９５°より大きく１２０°より小さな角度範囲（α）、そして特に好ましくは約１１０°の角度範囲（α）に渡って延在していることを特徴とした請求項１に記載のスローアウェーチップ。
【請求項３】
前記隆起部（１０１、１０２）が切刃（９、１０１、１０２、２８）を形成していることを特徴とした請求項１または２に記載のスローアウェーチップ。
【請求項４】
前記スローアウェーチップは、概ね直方体形状を有し、４つの切刃（９、１０１、１０２、２８）を備えていることを特徴とした請求項１から３の何れか１項に記載のスローアウェーチップ
【請求項５】
前記２つの隆起部分（１０１、１０２）が、切刃面に対して垂直で、かつ、底面に対して垂直な平面に関して互いに対称になっている請求項１から４の何れか１項に記載のスローアウェーチップ。
【請求項６】
前記隆起部（１０１、１０２、２８）が副切刃（１３）に連結されていることを特徴とした請求項１から５の何れか１項に記載のスローアウェーチップ。
【請求項７】
前記副切刃（１３）が、前記底面（１２）に対して９５°より大きな角度（β）、好ましくは、９８°より大きく１１０°より小さな角度（β）、特に好ましくは１００°の角度（β）を形成することを特徴とした請求項６に記載のスローアウェーチップ。
【請求項８】
円盤フライスの弓形部材（１５）に接線配置されるように、スローアウェーチップ（１４）を受容する少なくとも１つの座（２６）を備えた円盤フライスまたは円盤フライスの弓形部材において、
前記座（２６）の半径方向の支持面が円盤フライスまたは円盤フライスの弓形部材（１５）の中心軸線に関して傾斜していることを特徴とした円盤フライスまたは円盤フライスの弓形部材。
【請求項９】
前記座（２６）の半径方向の支持面が周方向に更に傾斜していることを特徴とした請求項８に記載の円盤フライスまたは円盤フライスの弓形部材。
【請求項１０】
前記スローアウェーチップのための座（２６）の軸方向の傾斜角が１５°より小さく、好ましくは、４°から１０°、特に好ましくは６°から８°となっていることを特徴とした請求項８から９の何れか１項に記載の円盤フライスまたは円盤フライスの弓形部材。
【請求項１１】
周方向への傾斜が反対のスローアウェーチップのための座（２６）が、周面の左右側部に交互配置されていることを特徴とした請求項８から９の何れか１項に記載の円盤フライスまたは円盤フライスの弓形部材。
【請求項１２】
座（２６）に装着されたスローアウェーチップ（１４）の軸方向の位置決めのための調節装置（１７）が、少なくとも１つの座（２６）に配設されていることを特徴とした請求項８から１１の何れか１項に記載の円盤フライスまたは円盤フライスの弓形部材。
【請求項１３】
前記調節装置が楔部材（２２）を具備し、該楔部材は、座（２６）に装着されたスローアウェーチップ（１４）に係合すると共に、該楔部材（２２）の動作を通じて座（２６）に装着された前記スローアウェーチップ（１４）が、該座（２６）内で軸方向に変位するように移動可能となっていることを特徴とした請求項１２に記載の円盤フライスまたは円盤フライスの弓形部材。
【請求項１４】
前記楔部材（２２）が１５°より小さな作用角（δ）、好ましくは１０°より小さな作用角（δ）、特に好ましくは５°から８°の間の作用角（δ）を有している請求項１３に記載の円盤フライスまたは円盤フライスの弓形部材。
【請求項１５】
前記調節装置（１７）が差動ねじ（２１）を具備する請求項１２から１４の何れか１項に記載の円盤フライスまたは円盤フライスの弓形部材。
【請求項１６】
前記差動ねじ（２１）が、２つのねじ部（２３、２４）、好ましくは２つの右ねじを有し、各々のピッチの差が、１ｍｍより小さく、特に好ましくは０．１ｍｍから０．４ｍｍの１ｍｍより小さくなっていることを特徴とした請求項１５に記載の円盤フライスまたは円盤フライスの弓形部材。
【請求項１７】
前記座（２６）が、周方向の停止面に加えて軸方向および接線方向の停止面を有しており、組み立てた状態において、前記スローアウェーチップ（１４）に少なくとも軸方向の停止面に対して予荷重が印加されるようになっていることを特徴とした請求項１から７の何れか１項に記載の少なくとも１つのスローアウェーチップを供えた請求項８から１６の何れか１項に記載の円盤フライスまたは円盤フライスの弓形部材。
【請求項１８】
前記スローアウェーチップ（１４）は、前記調節装置（１７）により少なくとも限定された範囲内で軸方向に移動可能に前記座（２６）に固定されていることを特徴とした請求項８から１７の何れか１項に記載の円盤フライスまたは円盤フライス弓形部材。
【請求項１９】
クランクシャフト（５）のジャーナル頸部またはクランク腕をフライス加工するための、請求項８から１８の何れか１項に記載の円盤フライスまたは円盤フライスの弓形部材および／または請求項１から８の何れか１項に記載のスローアウェーチップの使用。
【発明の詳細な説明】
【０００１】
【発明の属する技術分野】
本発明は、特にクランクシャフトをフライス加工するための円盤フライスおよび該円盤フライスで使用するスローアウェーチップに関する。
【０００２】
【従来の技術】
フライス加工は、工具を回転させて、ワークと工具との間で工具の回転軸線に垂直に相対移動させることにより、材料を除去するプロセスである。工具には複数のカッタが装着され、工具が中心軸線回りに回転する間に、前記カッタが切削作用をなす。種々の方向に送り動作を行うことができる。こうした送り動作は、工具またはワーク若しくは両者により行われる。旋削加工やドリル加工とは異なり、カッタはワークに対して係合し続けることは無い。反対に、ワークに対して一度切り込んだ後に、カッタは再び初期位置へ戻る。これには、カッタを冷却可能となり、また、切屑をチップポケットから除去可能となるとの利点がある。
【０００３】
フライス加工に関連して、一般的に、適切な切刃を提供する複数のスローアウェーチップが使用工具に装着される。この種のスローアウェーチップは、また、ツールチップと称され、かなり以前から知られている。
【０００４】
クランクシャフトは、直線運動を回転運動に或いは回転運動を直線運動に変換するための機械要素である。クランクシャフトを大量生産する際、鍛造または鋳造クランクシャフトが一般的に用いられる。近時のエンジンデザインでは、クランクシャフトが円滑に動作することが要求されている。また、製造コストも最小限でなければならない。不可欠な要求として、同じピストン行程で一層高いエンジン性能を発生すること、効率の改善つまり摩擦損失を低減すること、および、重量の低減が求められている。このことは、寸法、材料特性、表面処理、特に低い表面公差といった全ての設計パラメータが最適化されなければならないことを意味している。同時に、クランクシャフトを製造する際の製造コストを低減するために、材料の除去量によって、研削は切刃による加工、例えば旋削、旋削ブローチまたはフライス加工により置換されている。
【０００５】
特に、クランクシャフトのクランクジャーナルの加工のために、ペンジュラム法を用いた外フライス加工が近時採用されている。これに関連して、粗フライス加工と仕上フライス加工が区別され、７００ｍｍの直径と２７０個に上るスロアウェーチップを供えたフライスが広く採用されている。
【０００６】
仕上フライス加工に関連して、フライスには外径カッタと切下げカッタとが取り付けられている。外径カッタはジャーナルの外径を加工し、この外径加工されたジャーナルの表面は、更に、次工程において研削加工により仕上げられる。切下げカッタは、仕上げられたジャーナルの幅、すなわち連接棒のための止カラー（ｓｔｏｐ　ｃｏｌｌａｒ、所謂オイルカラー）の対向面を創成すると共に、ジャーナル頸部（ｂｅａｒｉｎｇ　ｎｅｃｋ）と止カラーとの間の部分に研削出口として使用する切り下げまたは溝をクランク腕の半径方向内側の部分に創成する。
【０００７】
例えば、図１はクランクシャフト５を取り付けた状態で示している。クランクシャフト５は、クランクジャーナルＡ、Ｂ、Ｃ、Ｄ、Ｅと、クランクピン１、２、３、４とを有している。個々のクランクジャーナルは、ペンジュラム法を用いて円盤フライス６により加工される。ペンジュラム法に関連して、クランクシャフトは加工中にそれ自体の中心軸線回りに回転させられる。円盤フライス６は、所望の切削速度で回転して、クランクピン１、２、３、４の対応する動作に追従する。クランクシャフト５のクランクピン１、２、３、４の加工は、本質的にクランクシャフト５の個々の回転が完了したときに完了する。クランク腕の周面もまた同様の方法により加工することができる。
【０００８】
図２は、クランクピン３の加工の様子を拡大して示す図である。この場合、円盤フライス６には、互い違いに配置された外径カッタ７と、切下げカッタ８が装着されている。外径カッタ７は接線配置されており、切下げカッタ８は横配置されている。周知となっている横配置された切下げカッタは、装着方向によりワークと係合する４つの切刃を有したスロアウェーチップとなっている。
【０００９】
【発明が解決しようとする課題】
特に、連接棒が案内されるクランクシャフト５の止カラーまたはオイルカラー２７の表面には高い要求があり、特に注意して加工しなければならない。近時の円盤フライスは加工精度が２０μｍとなっており、止カラー２７はフライス加工のみでは加工されず、次工程の研削加工または精密旋削加工が必要となっている。
【００１０】
ＯＷ　０１／７６７９６　Ａ１はクランクシャフトのフライス用のスローアウェーチップを開示している。このスローアウェーチップの切刃は、第１の直線部分と、９０°から１８０°の間の角度で該第１の直線部分につながる第２の直線部分と、凸状に湾曲した第３の切刃部分とを有している。然しながら、このカムシャフトフライスは加工精度が２０μｍのオーダーとなっている。
【００１１】
本発明の目的は、エンジンデザインの高まる要求に適したスローアウェーチップおよびフライスであって、加工精度が高く、特に、クランクシャフトの止カラーの表面を研削加工により仕上げることなく、１回のフライス加工により創成することのできるスローアウェーチップおよびフライスを提供することである。
【００１２】
【課題を解決するための手段】
この目的は、円盤状のカッタ、特にクランクシャフトをフライス加工用カッタのための頂面と底面と、前記頂面と底面とを連結する側面とを有するスローアウェーチップにおいて、少なくとも２つの隅部において、前記頂面には隆起部を有し、前記隆起部は好ましくは、前記カッタの１つの側面の全長に渡って延設されており、少なくとも１つの側面により形成される切刃面の平面において、前記頂面を前記切刃面へ連結する縁部が、該縁部の２つの端部分の各々において、中央部分に対して膨出した部分を有していることを特徴としたスローアウェーチップにより達成される。切削面の切刃輪郭は、従って、中央部分と２つの膨出した輪郭を有する端部分であって実際の切刃を形成する端部分とを具備している。この中央部分については、ここでは詳細には説明されていないが、概ね直線状に形成されている。
【００１３】
スローアウェーチップは傾斜させて装着され、傾斜の方向によって１つの隆起した端部分のみがワークに係合し、切刃として作用するようになっている。こうした構成により、２つの有効切刃、すなわち、左右の切刃がスローアウェーチップの側面の各々に切刃として設けられる。ワークに係合する切刃が摩耗すると、もう一方の装着位置、つまり、最初の装着位置に関して円盤フライスの反対側の位置において、同一の方向にて再びスローアウェーチップを使用することができる。
【００１４】
スローアウェーチップにおいて上述したのとは反対側もまた切削面として使用されるならば、つまり、頂面へつながる部分において、１つの切刃を隆起した端部分の各々に設ける場合には、有効な切刃の数は倍の４つになる。
【００１５】
隆起部分の輪郭は、クランクシャフトのクランクジャーナルの頸部と、クランク腕との間の研削出口として作用する切下げ部の所望の輪郭に対応させて形成される。
【００１６】
前記隆起部分は、従って、凸状に湾曲した輪郭が適宜与えられ、この湾曲部は、互いに角度をなす個々の直線部分を含むことができ、前記凸状に湾曲した部分は９０°より大きな角度範囲、好ましくは、９５°より大きく。そして特に好ましくは約１１０°より大きな角度範囲に渡って延在するように形成できる。切削隅部に形成された凸状の主切刃は、頂面の膨出部分と側面との間のつなぎの部分により形成され、また、主切刃は、この切削隅部に隣接する２つの側面の間の副切刃へつながっている。切削隅部に隣接する２つの側面の一方は切削面を形成し、他方が副フランク面を形成する。
【００１７】
切削面は、好ましくは、鈍角の遷移角を以て、頂面と側面かつまたは切削面との間の縁部の中央部分に伸びており、切刃において前記中央部分に向かう部分が頂面または底面により規定される平面に対して実質的に９０°よりも小さな角度で傾斜している。これにより、スローアウェーチップそれ自体、および、連接棒を支持する実際の支承面から研削出口へつながる部分へ印加される応力または荷重が低減される。
【００１８】
特に好ましくは、スローアウェーチップは実質的に直方体形状を有し、２つの側面と頂面および／または頂面の隆起部分との間のつなぎの部分に４つの切刃を有し、かつ、好ましくは平坦な底面とを有している。平坦な底面は支持面として作用し、平坦であるが故、研削加工により単純に精密に形成することができる。
【００１９】
スローアウェーチップを傾斜させて装着するので、切削面と頂面との間の縁部および切削面の反対側の側面と頂面との間の縁部は切刃を形成するが、その一方のみがワークに接触する。総計で４つの切刃、つまり、左右に２つずつの切刃が設けられ、そのうち３つの切刃が、装着位置に従って切削輪郭の内側に自動的に配置され、それらは切屑の衝接等による偶発的損傷から守られる。
突状湾曲部分の正確な輪郭は、切下げ部の所望形状およびスローアウェーチップの所望の傾斜角度に合わせて決定される。
【００２０】
例えば、中央切刃部分に面する湾曲した切刃部分の側部に直線部分を設けることができる。この直線部分は、前記頂面により形成される平面に対して９０°より大きく１８０°より小さな角度、好ましくは１１０°より大きく１６０°より小さな角度、特に好ましくは１３０°より大きく１５０°より小さな角度を形成する。こうした構成により、クランクピンと切下げ部との間の部分において損傷する危険性が低減される。
【００２１】
前記隆起部分を、切削面および底面に対して垂直な平面に関して対称に形成することが特に有利である。
また、好ましくは、隆起部の最も外側の部分に副切刃を設け、クランク腕の内面および／または止カラーを副切刃により加工するようにできる。
【００２２】
切削面の平面において、副切刃は底面に対して９５°より大きな角度、好ましくは９８°より大きく１１０°より小さな角度、特に好ましくは１００°の角度を形成する。
【００２３】
円盤フライスに関して、既述した目的は、円盤フライスの弓形部材に接線配置されるように、スローアウェーチップを受容する少なくとも１つの座を備え、前記座の半径方向の支持面を円盤フライスの中心軸線に関して傾斜させた円盤フライスにより達成される。前記座の半径方向の支持面を周方向、つまり周面に関して僅かに傾斜させることにより、垂直逃げ面が確保される。
【００２４】
これにより、スローアウェーチップを実質的に接線配置することができ、１つの切刃のみがワークに係合するようにできる。接線配置することにより、スローアウェーチップの交換に際して、スローアウェーチップを操作し易くなる。と言うのは、取付孔が（僅かに所望の傾斜角にもかかわらず）半径方向に延設され、従って、固定ねじをフライスの周面で操作することが可能だからである。スローアウェーチップを傾けて配置することにより、特に、外径カッタと切下げカッタとを備えた円盤フライスの場合に、外径カッタが存在するために、切下げカッタの切刃の一部がワークと係合せず、上述した複数の隆起部分を有した切下げカッタが使用可能となる。傾斜配置することにより、切刃を形成する隆起部分の１つが外径カッタの輪郭の背後に隠れ、この切刃がワークに係合しなくなる。
【００２５】
座、より詳細には座の支持面は、好ましくは、主として軸方向に、１５°より小さい角度、好ましくは４°から１０°の角度、特に好ましくは６°から８°の角度を以て傾斜している。前記座の支持面は、周方向に所望の逃げを確保するように、例えば約３°の傾斜角を以て周方向に傾いている。
【００２６】
スローアウェーチップのための傾斜した座はが円盤フライスの周面の左右側部に工具に配設される。更に、外径カッタを円盤フライスに装着し、適切な長さを選択することにより、交互配置を用いて、クランクピンおよび隣接する停止面を一回の加工工程で加工可能となる。
【００２７】
加工精度を高めるために、スローアウェーチップのための座の各々には、該座に装着されたスローアウェーチップの軸方向の位置決めのための調節装置が配設されている。この調節装置は、スローアウェーチップを個別に軸方向に調節することが可能で、これにより、加工精度が著しく高まる。
【００２８】
好ましくは、前記調節装置は楔部材を具備しており、該楔部材の１つの面が、スローアウェーチップのための座の軸方向接触面として作用し、以て、前記楔部材は、半径方向に移動可能となっており、軸方向の座面が、半径方向の調節距離に関して楔角と作用角とにより決定される比率で、楔部材の半径方向の変位と同時に軸方向に変位するように調節される。楔部材を移動させることにより、座に装着されたスローアウェーチップは座内で軸方向に変位する。楔部材をあらゆる楔状の面または斜面により形成することができる。
【００２９】
楔部材は、座に装着されたスローアウェーチップの位置を非常に正確に調節できるとの利点がある。
楔部材は、一例として１５°より小さな角度、好ましくは、１０°より小さな角度、特に好ましくは５°から８°の角度の作用角を有している。
【００３０】
更に好ましくは、楔部材のために前記調節装置は、２つのねじ部を有した差動ねじを具備している。差動ねじを使用することにより非常に正確に調節可能となる。楔部材は、前記差動ねじの１つのねじ部に対応した内ねじを有している。前記差動ねじの他方のねじ部は、円盤フライスの弓形部材においてスローアウェーチップのための座に隣接させて形成された対応のねじ孔に螺合する。
【００３１】
前記差動ねじは、ピッチの差、好ましくは１ｍｍより小さな、特に好ましくは０．１ｍｍから０．４ｍｍのピッチ差を有した２つのねじ部、好ましくは、２つの右ねじを有している。
【００３２】
スローアウェーチップのための座の支持面により形成される半径方向の停止面、および、上述した軸方向の調節可能な接触面に加えて、スローアウェーチップのための座に適宜に接線方向の停止面を設けて、座に装着されたスローアウェーチップに少なくとも半径方向の停止面に対して予荷重が印加されるようにする。
【００３３】
固定ねじによりスローアウェーチップを軸方向の停止面に対して予荷重を以て付勢することにより、調節装置によりスローアウェーチップが軸方向に更に調節されることは妨げられない。と言うのは、スローアウェーチップおよび円盤フライスおよび／または円盤フライスの弓形部材は相対的に正確に製造されており、小さな加工誤差を調節するために要求される軸方向の調節距離は１０〜５０μｍのオーダーだからである。弾性変形により、スローアウェーチップを座に固定するための固定装置は、調節楔部材を通じて適切に限定されたスローアウェーチップの軸方向への移動を許容する。こうした限定された移動を許容する弾性を与える固定ねじが好ましく使用される。
【００３４】
【発明の実施の形態】
図１、２は既述したクランクシャフト製造への応用で用いられる方法を示している。
図３から図６は、本発明によるスローアウェーチップを種々の方向から見た図を示している。図３には、概ね直方体形状のスローアウェーチップが示されている。スローアウェーチップ１４は合計で４つの切刃１０１、１０２、１０３、１０４を有している。
【００３５】
切刃面３０の側面図である図６に示すように、頂面１１と切刃面３０との間の縁部は、中央部分９と、該中央部分から上方に隆起して円弧状の切刃を形成する部分１０１、１０２から成る。
【００３６】
図示する実施形態では、前記中央部分は実質的に直線状に形成されている。更に、直線状の中央部分９の両側部には直線部分２８が連結されている。直線部分２８は、中央部分９に対して約１４０°の角度γを画成する。約１１０°の角度範囲αで示す湾曲領域が形成されるように、隆起部分１０１、１０２は直線部分２８に連結され実質的に突状の湾曲部分を形成している。２つの湾曲領域１０１、１０２は、副切刃１３への遷移領域を提供しており、副切刃１３は底面１２に対して約１０１°の角度βを画成している。中央部分９に連結された直線部分２８は必要不可欠な要素ではない。従って、図７の実施形態では、直線部分は設けられておらず、突状の湾曲部分はより大きな角度範囲に渡って延在している。部分１０１、１０２、２８の正確な構成は、主として該凹所の所望の輪郭形状ににより決定される。
【００３７】
図６を参照すると、スローアウェーチップは、図面に示された２つの隅部に２つの隆起部分１０１、２８および１０２、２８を有している。この隆起部分は、破線３１で示す頂面１１の他の部分の高さから上方に隆起している。このスローアウェーチップは、対称軸線３２に関して線対称形状を呈している。
【００３８】
スローアウェーチップ１４の頂面および底面の概ね中央部分には、取付孔２９が形成されている。該スローアウェーチップは、円盤フライスに接線配置されるように挿入、取付けられる。この場合、面３０が切刃面となり、頂面１１の隆起部分はフランクを形成する。
【００３９】
図５はスローアウェーチップの側面図である。図示する実施形態では、切削角は、切削力を低減するために鈍角となっているが、鋭角構成であってもよい。
【００４０】
図８、９は、円盤フライスの弓形部材１５の斜視図および断面図である。弓形部材１５には、スローアウェーチップ１６は外径カッタとして用いられ、本発明によるスローアウェーチップ１４は切下げカッタとして用いられる。図９を参照すると、本発明によるスローアウェーチップ１４は傾斜するように配置されており、内側の隆起部分が外径カッタ１６の輪郭の背後に隠れるようになっている。本実施形態では、従って、本発明によるスローアウェーチップ１４において外部の隆起部分だけがワークに接触する。この点、軸に関する傾斜角は約７°となっている。チップポケットは切下げカッタと外径カッタの双方に割り当てられ、そして、これらは切屑を保持するために用いられ、切屑排出の改善に寄与する。
【００４１】
図１０、１１は、円盤フライスの弓形部材１５の他の実施形態である。この弓形部材１５には外径カッタ１６が配設されておらず、本発明によるスローアウェーチップ１４のみが切下げカッタとして使用され、互い違いに配設されている。この円盤フライスは、クランクピンの外径が他のフライスを用いて既にフライス加工された後に使用される。このフライスは、クランクジャーナルおよび／またはクランクピンとクランク腕との間の領域の研磨出口（ｇｒｉｎｄｉｎｇ　ｏｕｔｌｅｔ）として作用する切下げ部を含む止カラー（ｓｔｏｐ　ｃｏｌｌａｒ）を加工するためにのみ用いられる。
【００４２】
図１２を参照すると、円盤フライスの弓形部材１５が円盤フライス１８に取付けられている。この実施形態では、円盤フライスは、１５個の弓形部材が取付けられるようになっており、弓形部材の各々に多数のスローアウェーチップが取付けられる。これは図１２、１３に示されている。
図８、１０を参照すると、切下げカッタとして使用されるスローアウェーチップ１４の各々に調節装置１７が配設されている。
【００４３】
図１４は、前記調節装置の拡大断面図である。本発明によるスローアウェーチップ１４は、固定ねじ１９により弓形部材１５の座２６に取付けられる。固定ねじ１９はスローアウェーチップの取付孔に挿入され、弓形部材１５に形成されたねじ孔に螺合する。前記取付孔、固定ねじ１９および弓形部材の対応のねじ孔は、スローアウェーチップの取付に際して、停止面２０に対してスローアウェーチップに予荷重が作用するように配置されている。こうした組立条件では、然しながら、スローアウェーチップは前記調節装置により軸方向に僅かに移動することができる。停止面２０は調節装置１７の構成要素であり、該調節装置は、停止面２０を形成する楔部材２２をスローアウェーチップ１４に押圧する差動ねじを具備している。本実施形態において、楔部材２２の作用角δは６°である。
【００４４】
調節装置１７の詳細な構造を図１５から図２０に示す。図１５、１６は差動ねじの端面図および側面図である。図１５はトルクスソケット（Ｔｏｒｘ　Ｓｏｃｋｅｔ）を示しており、これにより、差動ねじ２１を調節可能となる。然しながらトルクスソケットに代えて他のソケット、例えば、六角穴ソケット等を用いることができる。差動ねじ２１は２つの右ねじから成るねじ部２３、２４を有している。調節装置１７の他の構成要素は、傾斜した停止面２０を有した楔部材２２である。図１７から図２０は楔部材２２の断面図、頂面図、側面図および斜視図である。この楔部材は、外側に停止面２０を有した実質的にねじ付きのスリーブ部材から成る。
【００４５】
楔部材２２の下端部には、円筒状の連結部３４が設けられている。この連結部は、図１４に示すように、前記弓形部材に形成されたねじ孔の上方に同軸状に形成された大径孔部３５に係合する。円筒状の連結部３４が大径孔部３５内に拘束されるように、円筒状の連結部３４および大径孔部３５は相互に対応形状に形成されている。このように前記連結部を大径孔部内に拘束するように案内することにより、停止面２０の反対側の側面において、楔部材２２は弓形部材の案内面に支持されるようになる。これにより、スローアウェーチップの交換が容易になる。と言うのは、解放した状態でも、楔部材は正確に定められた位置を占めるからである。
【００４６】
図２１に調節方法を示す。先ず、スローアウェーチップ１４が固定ねじ１９により弓形部材１５に固定される。このとき、スローアウェーチップ１４は、固定ねじ１９により楔部材２２の停止面２０に押圧されるが、軸方向に僅かに移動させることができる。次いで、適当な工具２５を差動ねじ２１のトルクスソケットに係合させて、楔部材２２を下方に押圧する。これによりスローアウェーチップ１４は外側に押圧される。例えば、固定ねじの弾性を利用してスローアウェーチップを限定された範囲内で移動可能とすることができる。
【００４７】
本実施形態において、差動ねじ２１の２つのねじ２３、２４のピッチの差は０．２５ｍｍとなっている。これは、差動ねじを一回転させることにより、楔部材２２は径方向に０．２５ｍｍ変位し、スローアウェーチップが軸方向に０．０２５ｍｍ調節されることを意味している。工具（スパナ）を１４°回転させることにより、スローアウェーチップが軸方向に０．００１ｍｍ調節される。その結果、正確に調節可能となり、本発明の円盤フライスによれば、許容誤差からの逸脱が低減される。図示する実施形態では、許容誤差は０．００５ｍｍとなっている。
【００４８】
このようにスローアウェーチップを軸方向に正確に位置決めすることにより、全ての切刃が面形成に関連し、ワークに形成される波打ちや面粗度が著しく低減される。
【００４９】
本発明による調節装置１７は、また、他のスローアウェーチップおよび円盤フライスで用いることにも有利な効果がある。
【図面の簡単な説明】
【図１】従来技術によるクランクシャフトの製造を示す図である。
【図２】図１の部分拡大図である。
【図３】本発明によるスローアウェーチップの斜視図である。
【図４】本発明によるスローアウェーチップの平面図である。
【図５】本発明によるスローアウェーチップの側面図である。
【図６】本発明によるスローアウェーチップの他の側面図である。
【図７】他の実施形態によるスローアウェーチップの図６と同様の側面図である。
【図８】円盤フライスの弓形部材の斜視図である。
【図９】円盤フライスの弓形部材の端面図である。
【図１０】他の実施形態による円盤フライスの弓形部材の斜視図である。
【図１１】図１０の円盤フライスの弓形部材の端面図である。
【図１２】弓形部材を取付けた円盤フライスの部分斜視図である。
【図１３】弓形部材を取付けた円盤フライスの側面図である。
【図１４】楔部材と共に示すスローアウェーチップの断面図である。
【図１５】差動ねじの端面図である。
【図１６】差動ねじの側面図である。
【図１７】楔部材の断面図である。
【図１８】楔部材の頂面図である。
【図１９】楔部材の側面図である。
【図２０】楔部材の斜視図である。
【図２１】本発明による調節装置の操作方法を示す図である。
【符号の説明】
９…中央部分
１０１…切刃
１０２…切刃
１０３…切刃
１０４…切刃
１１…頂面
１２…底面
１３…副切刃
１４…スローアウェーチップ（切下げカッタ）
１５…弓形部材
１６…スローアウェーチップ（外径カッタ）
１７…調節装置
２０…停止面
２１…差動ねじ
２２…楔部材
２３…ねじ部
２４…ねじ部
２８…直線部分
３０…切刃面
【図１】
2004042254.tif 000003
【図２】
2004042254.tif 000004
【図３】
2004042254.tif 000005
【図４】
2004042254.tif 000006
【図５】
2004042254.tif 000007
【図６】
2004042254.tif 000008
【図７】
2004042254.tif 000009
【図８】
2004042254.tif 000010
【図９】
2004042254.tif 000011
【図１０】
2004042254.tif 000012
【図１１】
2004042254.tif 000013
【図１２】
2004042254.tif 000014
【図１３】
2004042254.tif 000015
【図１４】
2004042254.tif 000016
【図１５】
2004042254.tif 000017
【図１６】
2004042254.tif 000018
【図１７】
2004042254.tif 000019
【図１８】
2004042254.tif 000020
【図１９】
2004042254.tif 000021
【図２０】
2004042254.tif 000022
【図２１】
2004042254.tif 000023